(57)【要約】【課題】画像形成動作中に何らかの理由で連続用紙にたるみが生じると、閃光定着装置の高温部に連続用紙が接触する恐れがある。【解決手段】電子写真式の画像形成装置の構成として、用紙搬送路３２に沿って連続用紙２を搬送する用紙搬送手段と、用紙搬送手段によって搬送される連続用紙２にトナー画像を転写する画像形成ユニットと、連続用紙２に転写されたトナー画像を閃光の照射により定着させる閃光定着装置６と、閃光定着装置６を冷却するためのブロア１８とを備え、用紙搬送手段の駆動を停止する場合に制御部がブロア１８を画像形成動作中とは反対方向に回転させることにより、ハウジング２５の排気口２８から空気を吹き出して、閃光定着装置６のガラス板１７とその下を通過する連続用紙２との間に空気流を形成し、閃光定着装置６と連続用紙２を分離した状態に維持する。【選択図】図５
2008224732.tif 000002
【特許請求の範囲】
【請求項１】
用紙搬送路に沿って連続用紙を搬送する用紙搬送手段と、
前記用紙搬送手段によって搬送される前記連続用紙に画像を転写する画像形成手段と、
前記画像形成手段によって前記連続用紙に転写された画像を光の照射により定着させる光定着手段と、
前記用紙搬送路上で前記光定着手段と前記連続用紙が対向する部分に空気を吹き出す空気吹き出し手段と、
前記用紙搬送手段の駆動を停止する場合に前記空気吹き出し手段から空気を吹き出すように制御する制御手段と
を備えることを特徴とする画像形成装置。
【請求項２】
前記空気吹き出し手段の空気吹き出し部は、用紙搬送方向において前記光定着手段による光の照射領域よりも上流側に設けられるとともに、用紙搬送方向の上流側から下流側に向かって空気を吹き出す
ことを特徴とする請求項１記載の画像形成装置。
【請求項３】
前記光の照射によって気化した現像材料を空気の吸引により回収する回収手段を備え、
前記制御手段は、前記用紙搬送手段の駆動停止とともに、前記回収手段の空気吸引動作を停止させた後、前記空気吹き出し手段から空気を吹き出すように制御する
ことを特徴とする請求項１記載の画像形成装置。
【請求項４】
前記光定着手段を冷却するための送風機を有する冷却手段を備え、
前記制御手段は、前記用紙搬送手段の駆動を停止する場合に前記送風機を逆回転させることにより、前記冷却手段を前記空気吹き出し手段として機能させる
ことを特徴とする請求項１記載の画像形成装置。
【請求項５】
前記回収手段は、空気を吸引するための送風機を有し、
前記制御手段は、前記用紙搬送手段の駆動を停止する場合に前記送風機を逆回転させることにより、前記回収手段を前記空気吹き出し手段として機能させる
ことを特徴とする請求項１記載の画像形成装置。
【発明の詳細な説明】
【技術分野】
【０００１】
本発明は、画像形成装置に関する。
【背景技術】
【０００２】
連続用紙を取り扱う電子写真式の画像形成装置の中には、光の照射によって画像の定着を行なう光定着装置を備えたものがある。光定着装置としては、閃光放電管（フラッシュランプ）を用いた閃光定着装置が多く採用されている。閃光定着装置は、発光体となる閃光放電管から閃光を発生し、この閃光を用紙に照射することにより、閃光の熱エネルギーを利用して用紙に画像を定着する装置である。
【０００３】
一般に、閃光定着方式を採用した画像形成装置では、用紙搬送方向に並べた複数の閃光放電管で発生させた閃光を、ガラス板を通して連続用紙に照射している。このため、閃光定着装置のガラス板の表面はかなりの高温になる。したがって、画像形成動作中は閃光定着装置のガラス板と連続用紙との間に所定の距離を確保して閃光定着を行なっている。
【０００４】
この種の画像形成装置に関する従来技術として、例えば特許文献１には、閃光定着装置の定着領域内に残留する用紙の紙片を吸引により捕捉する技術が記載されている。また、特許文献２には、閃光放電管の下方に空気吸引搬送部を設け、この空気吸引搬送部で用紙を吸引しつつ搬送する技術が記載されている。
【０００５】
【特許文献１】２００５−２６５９０９号公報
【特許文献２】２００１−３５６６３３号公報
【発明の開示】
【発明が解決しようとする課題】
【０００６】
本発明の目的は、連続用紙が光定着装置に接触することを有効に防止することができる画像形成装置を提供することにある。
【課題を解決するための手段】
【０００７】
請求項１に記載の発明は、用紙搬送路に沿って連続用紙を搬送する用紙搬送手段と、前記用紙搬送手段によって搬送される前記連続用紙に画像を転写する画像形成手段と、前記画像形成手段によって前記連続用紙に転写された画像を光の照射により定着させる光定着手段と、前記用紙搬送路上で前記光定着手段と前記連続用紙が対向する部分に空気を吹き出す空気吹き出し手段と、前記用紙搬送手段の駆動を停止する場合に前記空気吹き出し手段から空気を吹き出すように制御する制御手段とを備えることを特徴とする画像形成装置。
【０００８】
請求項２に記載の発明は、請求項１記載の画像形成装置において、前記空気吹き出し手段の空気吹き出し部は、用紙搬送方向において前記光定着手段による光の照射領域よりも上流側に設けられるとともに、用紙搬送方向の上流側から下流側に向かって空気を吹き出すことを特徴とするものである。
【０００９】
請求項３に記載の発明は、請求項１記載の画像形成装置において、前記光の照射によって気化した現像材料を空気の吸引により回収する回収手段を備え、前記制御手段は、前記用紙搬送手段の駆動停止とともに、前記回収手段の空気吸引動作を停止させた後、前記空気吹き出し手段から空気を吹き出すように制御することを特徴とするものである。
【００１０】
請求項４に記載の発明は、請求項１記載の画像形成装置において、前記光定着手段を冷却するための送風機を有する冷却手段を備え、前記制御手段は、前記用紙搬送手段の駆動を停止する場合に前記送風機を逆回転させることにより、前記冷却手段を前記空気吹き出し手段として機能させることを特徴とするものである。
【００１１】
請求項５に記載の発明は、請求項１記載の画像形成装置において、前記回収手段は、空気を吸引するための送風機を有し、前記制御手段は、前記用紙搬送手段の駆動を停止する場合に前記送風機を逆回転させることにより、前記回収手段を前記空気吹き出し手段として機能させることを特徴とするものである。
【発明の効果】
【００１２】
請求項１に記載の発明によれば、連続用紙が光定着手段に接触することを有効に防止することができる。
【００１３】
請求項２に記載の発明によれば、連続用紙上で未定着画像を形成している現像材料が空気の吹き出しによって飛散することを防止することができる。
【００１４】
請求項３に記載の発明によれば、回収手段の空気吸引動作に妨げられることなく、光定着手段と連続用紙の間に空気流を形成することができる。
【００１５】
請求項４、５に記載の発明によれば、画像形成装置の低価格化を図ることができる。
【発明を実施するための最良の形態】
【００１６】
以下、本発明の具体的な実施の形態について図面を参照しつつ詳細に説明する。
【００１７】
図１は本発明が適用される画像形成装置の構成例を示す概略図である。図示した画像形成装置１は、閃光定着を採用した電子写真式の画像形成装置であって、画像を形成するための記録媒体として連続用紙２を取り扱う。連続用紙２は、例えば図示のようにＺ字形に折り畳まれた状態でホッパ形状の給紙部３にセットされる。給紙部３にセットされた連続用紙２は用紙搬送路に沿って搬送された後、用紙収容部４に収容される。用紙収容部４は連続用紙２をＺ字形に折り畳んだ状態で収容するものである。連続用紙２は、ロール状に巻かれた用紙（ロール紙）であってもよい。
【００１８】
用紙搬送路の途中には、画像形成ユニット５と閃光定着装置６が設けられている。画像形成ユニット５は、画像データに基づく可視画像を連続用紙２に転写するもので、本発明における画像形成手段に相当するものである。閃光定着装置６は、画像形成ユニット５によって連続用紙２に転写された可視画像を閃光の照射により定着させるものである。
【００１９】
画像形成ユニット５は、感光体ドラム７と、帯電器８と、露光光学系９と、現像器１０と、転写器１１と、クリーナブレード１２と、除電器１３と、クリーナブラシ１４とを用いて構成されている。
【００２０】
感光体ドラム７は、一定の速度で時計回り方向に回転駆動されるものである。帯電器８は、感光体ドラム７の表面を一様な電位に帯電するものである。露光光学系９は、感光体ドラム７の表面にレーザ光の露光走査によって静電潜像を形成するものである。現像器１０は、感光体ドラム７の表面に形成された静電潜像を、現像材料であるトナーを用いて現像することにより、静電潜像をトナー画像として可視化するものである。転写器１１は、感光体ドラム７の表面に形成されたトナー画像を連続用紙に転写するものである。クリーナブレード１２及びクリーナブラシ１４は、感光体ドラム７の表面から残留トナーを取り除くものである。除電器１３は、感光体ドラム７に残留する不要な電荷を取り除くものである。
【００２１】
閃光定着装置６は、本発明における光定着手段を構成するものである。閃光定着装置６は、閃光の発光源となる複数本（図例では４本）の閃光放電管１５と、閃光の反射部材となる反射板１６と、閃光を透過する窓部材となるガラス板１７とを用いて構成されている。閃光放電管１５は、画像定着のための熱エネルギー源となる閃光を発生するもので、用紙搬送方向に直交する向きで配置されている。また、各々の閃光放電管１５は、用紙搬送路に沿って等間隔に並べられている。
【００２２】
反射板１６は、閃光放電管１５が発生する閃光を用紙搬送路側に反射させるものである。ガラス板１７は、閃光放電管１５の保護や、連続用紙２と閃光放電管１５の接触回避などのために設けられたものである。閃光放電管１５が発生した閃光や、反射板１６が反射した閃光は、ガラス板１７を通して連続用紙２に照射される。このため、ガラス板１７は、連続用紙２に閃光を照射する際の照射窓となるため、ガラス板１７との対向領域が用紙搬送路上での閃光の照射領域となる。ブロア１８は、外気の取り込みによって閃光定着装置６の内部を強制的に冷却することにより、閃光定着装置６内の温度上昇を抑えるものである。このことから、ブロア１８は、閃光定着装置６を冷却するための送風機となる。
【００２３】
閃光定着装置６の近傍にはノズル１９が設けられている。ノズル１９は、矩形断面を有する細長い筒状の中空部材であって、用紙搬送路と対向する側の面に複数の長孔（不図示）が形成されている。ノズル１９にはホース２０に接続されている。ホース２０の途中には脱煙フィルタ２１が設けられている。また、ホース２０の終端部には脱煙ブロア２２が接続されている。
【００２４】
制御部２３は、画像形成装置１全体の処理動作を統括的に制御するものである。一例として、制御部２３は、閃光定着装置６の下を通過する連続用紙２のトナー画像を閃光定着するにあたり、閃光放電管１５の発光動作（例えば、発光タイミングや発光周波数など）を制御する。また、制御部２３は、画像形成ユニット５におけるトナー画像の形成動作や、搬送ロール２４等を用いた連続用紙２の搬送動作（例えば、搬送速度など）を制御する。搬送ロール２４は、当該搬送ロール２４を回転させる用紙搬送モータとともに、本発明における用紙搬送手段を構成するものである。
【００２５】
上記構成からなる画像形成装置１においては、制御部２３による制御処理にしたがって、画像形成の対象となる連続用紙２が、給紙部３から画像形成ユニット５及び閃光定着装置６を経由して用紙収容部４へと搬送される。その際、用紙搬送路に沿って搬送される連続用紙２に対して、画像形成ユニット５によってトナー画像が転写され、かつ当該トナー画像が閃光定着装置６によって定着される。
【００２６】
さらに詳述すると、画像形成ユニット５においては、一定の速度で回転する感光体ドラム７の表面を帯電器８が一様な電位に帯電し、その帯電部分を露光光学系９がレーザ光で露光走査することにより、感光体ドラム７の表面に静電潜像を形成する。この静電潜像を現像器１０がトナー画像に現像した後、転写器１１が連続用紙２にトナー画像を転写する。クリーナブレード１２とクリーナブラシ１４は、連続用紙２への画像転写後に感光体ドラム７に残留するトナーを除去する。また、除電器１３は、連続用紙２への画像転写後に感光体ドラム７を除電する。
【００２７】
一方、トナー画像が転写された連続用紙２は閃光定着装置６に送り込まれる。閃光定着装置６においては、閃光放電管１５で発生させた閃光を、反射板１６で反射しつつ、ガラス板１７を通して連続用紙２に照射する。これにより、連続用紙２に転写されている未定着のトナー画像が閃光の照射により加熱定着される。その際、閃光定着装置６の内部はブロア１８の回転駆動によって冷却される。また、閃光定着によって気化したトナーは、脱煙ブロア２２の回転駆動によりノズル１９から吸い込まれ、ホース２０を通して脱煙フィルタ２１に回収される。トナー回収後の空気は脱煙ブロア２２によって機外に排出される。このことから、脱煙ブロア２２は、気化したトナーを空気と一緒に吸引するための送風機となり、脱煙ブロア２２とこれにつながるホース２０、脱煙フィルタ２１及びノズル１９は、閃光の照射によって気化した現像材料（トナー）を空気の吸引により回収する回収手段を構成するものとなる。
【００２８】
ここでは、画像形成動作中におけるブロア１８の回転と脱煙ブロア２２の回転を、それぞれ正回転と定義する。例えば、画像形成動作中にブロア１８が閃光定着装置６を強制冷却するために時計回り方向に回転するものと仮定すると、ブロア１８の時計回り方向の回転を正回転とし、ブロア１８の反時計回り方向の回転を逆回転とする。同様に、画像形成動作中に脱煙ブロア２２が気化したトナーを吸引（回収）するために時計回り方向に回転するものと仮定すると、脱煙ブロア２２の時計回り方向の回転を正回転とし、脱煙ブロア２２の反時計回り方向の回転を逆回転とする。ここで記述するブロアの回転（正回転及び逆回転を含む）とは、ブロアに内蔵されたファン（例えば、軸流ファン）の回転をいう。
【００２９】
図２は本発明の実施形態に係る画像形成装置の閃光定着装置周りの構成を示すもので、図中（Ａ）は画像形成装置１の正面方向から見た図、（Ｂ）は画像形成装置１の側面方向から見た図である。閃光定着装置６は、上下２段のダクト構造を有するハウジング２５を用いて構成されている。ハウジング２５の内部は仕切板２６で上下２段に仕切られているが、仕切板２６で仕切られた上部空間と下部空間は装置前面側で空間的につながっている。閃光放電管１５と反射板１６は、ハウジング２５の下部空間に配置されている。
【００３０】
ハウジング２５には吸気口２７と排気口２８が設けられている。吸気口２７は、画像形成装置１の背面側でハウジング２５の側壁部分を部分的に開口する状態に形成されている。排気口２８は、ガラス板１７よりも用紙搬送方向の上流側でハウジング２５の底部を部分的に開口する状態で形成されている。ガラス板１７は、閃光定着装置６の下を通過する連続用紙２の第１面に対向するように配置されている。連続用紙２の第１面とは、画像形成ユニット５によってトナー画像が転写される面をいう。排気口２８は、用紙搬送方向と直交する方向に閃光放電管１５とほぼ同じ長さでスリット状に形成されている。また、ハウジング２５には吸気口２７を開閉するための弁２９と排気口２８を開閉するための弁３０が取り付けられている。さらに、ハウジング２５には、装置背面側でハウジング２５の下部空間に接続するようにダクト３１が接続され、このダクト３１の終端部にブロア１８が取り付けられている。このことから、ブロア１８とこれにつながるダクト３１は、閃光定着装置６を冷却する冷却手段を構成するものとなる。
【００３１】
弁２９，３０は、可撓性を有する板状の部材（例えば、ステンレスなどの金属製の板ばね）によって構成されている。弁２９の一端はハウジング２５に固定され、弁３０の一端もハウジング２５に固定されている。また、弁２９はハウジング２５の内側から吸気口２７を閉じるように取り付けられ、弁３０はハウジング２５の外側から排気口２８を閉じるように取り付けられている。
【００３２】
このため、ハウジング２５の内部が大気圧又はそれよりも高い正圧になっている状況では吸気口２７が弁２９によって閉じられた状態になり、ハウジング２５の内部が大気圧よりも低い負圧になると、その負圧により弁２９が弾性変形して吸気口２７が開いた状態になる。また、ハウジング２５の内部が大気圧又はそれよりも低い負圧になっている状況では排気口２８が弁３０によって閉じられた状態になり、ハウジング２５の内部が大気圧よりも高い正圧になると、その正圧により弁３０が弾性変形して排気口２８が開いた状態になる。
【００３３】
弁３０は、用紙搬送方向の上流側の端部を固定端、その反対側を自由端として、ハウジング２５に取り付けられている。このため、弁３０の弾性変形によって排気口２８を開いた状態では、用紙搬送路３２に向けて弁３０が斜めに配置される。したがって、排気口２８から排出される空気は、弁３０の傾斜に沿って用紙搬送方向の上流側から下流側に向けて流れることになる。用紙搬送路３２は、図示しない用紙搬送路形成部材によって形成されるもので、閃光定着装置６の下を通過する連続用紙２の第２面に対向するように配置されている。連続用紙２の第２面とは、画像形成ユニット５によってトナー画像が転写される面と反対側の面をいう。
【００３４】
なお、吸気口２７、排気口２８、弁２９、弁３０の各個数は、それぞれ１個であってもよいし、複数個であってもよい。例えば、吸気口２７に関しては、用紙搬送方向やこれと直交する方向に複数個の吸気口２７を並べて設け、これら複数個の吸気口２７を１個又は複数個（例えば、吸気口２７と同数）の弁２９で開閉する構成としてもよい。同様に、排気口２８に関しても、用紙搬送方向やこれに直交する方向に複数個の排気口２８を並べて設け、これら複数個の排気口２８を１個又は複数個（例えば、排気口２８と同数）の弁３０で開閉する構成としてもよい。また、吸気口２７や排気口２８の開口形状についても、任意に変更可能である。
【００３５】
図３は本発明の実施形態に係る画像形成装置１において、制御部２３により実行される制御処理の一例を示すフローチャートである。まず、制御部２３は、画像形成装置１の画像形成動作を開始すると、指定の画像形成条件に基づく画像形成処理をすべて終えたかどうか、又は用紙詰まりが発生したかどうか、あるいは他のエラーによるアラーム（例えば、用紙搬送モータの脱調など）が発生したかどうかにより、連続用紙２の搬送を停止するかどうかを判断する（ステップＳ１、Ｓ２）。そして、連続用紙２の搬送を停止すると判断した場合は、用紙搬送モータの駆動を停止して搬送ロール２４等の回転を停止させる（ステップＳ３）。このとき、制御部２３は、連続用紙２の搬送を停止するのと合わせて、ブロア１８の正回転や脱煙ブロア２２の正回転、さらには閃光定着装置６の閃光放電管１５の発光動作を停止させる。
【００３６】
用紙の搬送を停止するきっかけは、上述した画像形成処理の終了や用紙詰まりの発生、アラームの発生以外であってもよい。例えば、トナーなどの消耗品の補充や、消耗部品の交換などを行なうために用紙の搬送を停止する場合であってもよい。ちなみに、連続用紙を取り扱う場合の用紙詰まりの検出方法としては、連続用紙の紙面に接触するようにコロを配置し、このコロが連続用紙の移動によって回転する際の回転動作（回転速度等）に基づいて検出する方法や、送り孔（スプロケット孔）付きの連続用紙を取り扱う場合は送り孔の有無をセンサで検知し、このセンサが出力するオンオフの信号変化に基づいて検出する方法などがある。
【００３７】
次に、制御部２３は、ブロア１８を逆回転（画像形成動作中とは反対方向に回転）させる（ステップＳ４）。画像形成動作中のブロア１８の回転方向は、ダクト３１を通してハウジング２５内の空気を吸い込む方向となる。このため、画像形成動作中にブロア１８が正回転すると、ハウジング２５の内部は負圧になる。したがって、図４（Ａ），（Ｂ）に示すように、吸気口２７は弁２９の弾性変形によって開いた状態になり、排気口２８は弁３０によって閉じられた状態になる。こうした状況ではブロア１８の正回転に伴ってハウジング２５の吸気口２７から取り込まれた機外の空気が、図中二点鎖線で示すようにハウジング２５の上部空間から下部空間へと流れ込む。さらに、ハウジング２５の下部空間を流れた空気はダクト３１を通してブロア１８により機外に排出される。
【００３８】
これに対して、上記ステップＳ４でブロア１８を逆回転させた場合は、ブロア１８に吸い込まれた機外の空気が、ダクト３１を通してハウジング２５の内部に送り込まれる。このため、ハウジング２５の内部は正圧になる。したがって、図５（Ａ），（Ｂ）に示すように、排気口２８は弁３０の弾性変形によって開いた状態になり、吸気口２７は弁２９によって閉じられた状態になる。こうした状況ではブロア１８の逆回転に伴ってハウジング２５内に送り込まれた空気が排気口２８から弁３０の傾斜に沿って用紙搬送路３２上に吹き出す。この場合、空気吹き出し部となる排気口２８からは用紙搬送方向の上流側から下流側に向かって空気が斜め下方に吹き出す。よって、用紙搬送路３２においては、閃光定着装置６のガラス板１７と連続用紙２が対向する部分に空気が吹き出すことになる。このときの空気の吹き出し方向は、閃光定着装置６のガラス板１７から離間する方向で連続用紙２を用紙搬送路３２側に押圧する方向となる。このため、閃光定着装置６のガラス板１７とその下の用紙搬送路３２を通過する連続用紙２の間には、排気口２８から吹き出した空気の流れが形成される。したがって、ガラス板１７と連続用紙２は空気流によって分離された状態になる。
【００３９】
その後、制御部２３は、ブロア１８の逆回転を開始してからの経過時間を計測し、この計測時間が所定の時間（例えば、１０秒）に到達すると、ブロア１８の逆回転を停止させる（ステップＳ５、Ｓ６）。所定の時間は、例えば、閃光定着装置６のガラス板１７が所定の温度以下に冷却されるまでに必要とされる時間である。所定の時間は、予め実験結果等に応じて設定すればよい。また、パネル操作や外部からのデータ入力などにより、所定の時間を任意に変更可能な構成としてもよい。
【００４０】
図６は本発明の他の実施形態に係る画像形成装置の閃光定着装置周りの構成を示すもので、図中（Ａ）は画像形成装置１の正面方向から見た図、（Ｂ）は画像形成装置１の側面方向から見た図である。この実施形態においては、前述した実施形態と同様の構成部分に同じ符号を付して説明することとする。閃光定着装置６は、前述した実施形態と同様に、ハウジング２５を用いた上下２段のダクト構造になっている。ただし、外気を取り込むための吸気口２７には弁２９が取り付けられておらず、吸気口２７が常に開口した構成になっている。
【００４１】
また、ハウジング２５には前述した排気口２８と弁３０が設けられておらず、ガラス板１７に隣接する位置にノズル１９が配置されている。ノズル１９は、ガラス板１７よりも用紙搬送方向の上流側に配置されている。そして、図７に示すように、脱煙ブロア２２の正回転によりノズル１９から空気を吸引することにより、閃光定着によって気化したトナーを空気と一緒に吸い込み、脱煙ブロア２２で回収する構成になっている。
【００４２】
本実施形態においては、上記トナー回収のための構成を、空気吹き出し手段として機能させるものである。具体的には、上記図３に示すフローチャートのステップＳ４において、ブロア１８を逆回転させる代わりに脱煙ブロア２２を逆回転させるとともに、ステップＳ６において、ブロア１８の逆回転を停止させる代わりに脱煙ブロア２２の逆回転を停止させる。
【００４３】
脱煙ブロア２２を逆回転させると、図８に示すように、脱煙ブロア２２からホース２０及び脱煙フィルタ２１を通してノズル１９に空気が送り込まれるため、ノズル１９から空気が吹き出すことになる。この場合、空気吹き出し部となるノズル１９からは用紙搬送方向の上流側から下流側に向かって斜め下方に空気が吹き出す。よって、用紙搬送路３２においては、閃光定着装置６のガラス板１７と連続用紙２が対向する部分に空気が吹き出すことになる。このときの空気の吹き出し方向は、閃光定着装置６のガラス板１７から離間する方向で連続用紙２を用紙搬送路３２側に押圧する方向となる。このため、閃光定着装置６のガラス板１７とその下の用紙搬送路３２を通過する連続用紙２の間には、ノズル１９から吹き出した空気の流れが形成される。したがって、ガラス板１７と連続用紙２は空気流によって分離された状態になる。
【００４４】
なお、上記各実施形態においては、閃光定着装置６を冷却するための送風機となるブロア１８や、気化したトナーを回収するための送風機となる脱煙ブロア２２を、それぞれ空気吹き出し手段の送風源として利用することにより、冷却手段及び回収手段をそれぞれ空気吹き出し手段として機能させるものとしたが、本発明はこれに限らず、空気吹き出し手段として専用の空気吹き出し機構を設けるようにしてもよい。
【図面の簡単な説明】
【００４５】
【図１】本発明が適用される画像形成装置の構成例を示す概略図である。
【図２】本発明の実施形態に係る画像形成装置の定着装置周りの構成を示す図である。
【図３】本発明の実施形態に係る制御処理の一例を示すフローチャートである。
【図４】本発明の実施形態に係る画像形成装置の動作状態を説明する図である（その１）である。
【図５】本発明の実施形態に係る画像形成装置の動作状態を説明する図である（その２）である。
【図６】本発明の他の実施形態に係る画像形成装置の定着装置周りの構成を示す図である。
【図７】本発明の他の実施形態に係る画像形成装置の動作状態を説明する図である（その１）である。
【図８】本発明の他の実施形態に係る画像形成装置の動作状態を説明する図である（その２）である。
【符号の説明】
【００４６】
１…画像形成装置、２…連続用紙、５…画像形成ユニット、６…閃光定着装置、１５…閃光放電管、１６…反射板１、１７…ガラス板、１８…ブロア、１９…ノズル、２２…脱煙ブロア、２３…制御部、２４…搬送ロール、２５…ハウジング、２７…吸気口、２８…排気口、２９，３０…弁、３２…用紙搬送路
【図１】
2008224732.tif 000003
【図２】
2008224732.tif 000004
【図３】
2008224732.tif 000005
【図４】
2008224732.tif 000006
【図５】
2008224732.tif 000007
【図６】
2008224732.tif 000008
【図７】
2008224732.tif 000009
【図８】
2008224732.tif 000010